(57)【要約】【課題】適切なセル選択によりサービス品質を向上できること。【解決手段】制御装置２００は、端末が位置する複数のセルの特性と、端末の状況および端末がダウンロードするデータの特性とに基づき、端末が要求する要求ダウンロード時間Ｔｒと、データの実際のダウンロードにかかる実行ダウンロード時間Ｔｄとを求め、要求ダウンロード時間Ｔｒと実行ダウンロード時間Ｔｄとに基づき、セルを選択する。セルは、所定地域の利用者全員の通信要求に応じられる帯域の大セルと、大セル内の一部の利用者の通信要求に応じる帯域の複数の小セルとを含み、制御装置２００は、大セルと、複数の小セルのうち要求ダウンロード時間Ｔｒを満たすセルを選択する。【選択図】図３
2018125805.tif 000002
【特許請求の範囲】
【請求項１】
端末が位置する複数のセルの特性と、前記端末の状況および前記端末がダウンロードするデータの特性とに基づき、前記端末が要求する要求ダウンロード時間と、前記データの実際のダウンロードにかかる実行ダウンロード時間とを求め、前記要求ダウンロード時間と前記実行ダウンロード時間とに基づき、前記セルを選択する制御部を備えたことを特徴とする制御装置。
【請求項２】
前記セルは、
所定地域の利用者全員の通信要求に応じられる帯域の大セルと、当該大セル内の一部の利用者の通信要求に応じる帯域の複数の小セルとを含み、
前記制御部は、
前記大セルと、複数の前記小セルのうち前記実行ダウンロード時間が前記要求ダウンロード時間以内のセルを選択することを特徴とする請求項１に記載の制御装置。
【請求項３】
前記制御部は、
前記セルの特性を、前記セルのサイズと当該セルに割り当てられた帯域とに基づき求めることを特徴とする請求項１または２に記載の制御装置。
【請求項４】
前記制御部は、
前記データの特性は、前記データのサイズに基づき求めることを特徴とする請求項１〜３のいずれか一つに記載の制御装置。
【請求項５】
前記制御部は、
前記実行ダウンロード時間を、前記データのサイズと、前記セルに割り当てられた帯域と前記セルのサイズから決まる呼量の関数で表されるコネクションあたりの伝送速度に基づき求めることを特徴とする請求項１〜４のいずれか一つに記載の制御装置。
【請求項６】
前記制御部は、
大きいセルから小さいセルの順に、前記実行ダウンロード時間と前記要求ダウンロード時間を比較し、前記実行ダウンロード時間が前記要求ダウンロード時間よりも小さくなる最初のセルを選択することを特徴とする請求項１〜５のいずれか一つに記載の制御装置。
【請求項７】
前記制御部は、
前記要求ダウンロード時間を、前記端末の利用者のコンテキストに基づき求めることを特徴とする請求項１〜６のいずれか一つに記載の制御装置。
【請求項８】
前記制御部は、
前記要求ダウンロード時間を、前記端末によるデータのダウンロード要求時に、前記端末が位置している所定のセル内でのユーザの状況に対応した滞在時間に基づき設定することを特徴とする請求項１〜７のいずれか一つに記載の制御装置。
【請求項９】
前記制御部は、
前記要求ダウンロード時間を、前記端末の移動速度と前記端末が位置するセルの大きさと、前記端末が前記セル内に位置している間の通過時間に基づき求めることを特徴とする請求項１〜７のいずれか一つに記載の制御装置。
【請求項１０】
前記制御部は、
前記実行ダウンロード時間が前記要求ダウンロード時間よりも小さくなるセルが無い場合には、前記ダウンロード時間を短くできる前記セルを選択することを特徴とする請求項６〜９のいずれか一つに記載の制御装置。
【請求項１１】
前記制御部は、
前記実行ダウンロード時間が前記要求ダウンロード時間よりも小さくなるセルが無い場合には、前記データをダウンロードからストリーミングに変更して送信できる前記セルを選択することを特徴とする請求項６〜９のいずれか一つに記載の制御装置。
【請求項１２】
前記制御部は、
前記要求ダウンロード時間に近い前記実行ダウンロード時間となる前記セルを選択することを特徴とする請求項１〜１１のいずれか一つに記載の制御装置。
【請求項１３】
複数の基地局と、複数の前記基地局のセル内に位置する端末と、前記端末がアプリケーションサーバからデータのダウンロード時に、前記データおよび前記セルの選択を制御する制御装置と、を含む制御システムであって、
前記制御装置は、前記端末が位置する複数のセルの特性と、前記端末の状況および前記端末がダウンロードするデータの特性とに基づき、前記端末が要求する要求ダウンロード時間と、前記データの実際のダウンロードにかかる実行ダウンロード時間とを求め、前記要求ダウンロード時間と前記実行ダウンロード時間とに基づき、前記セルを選択する制御部を備えたことを特徴とする制御システム。
【請求項１４】
端末が位置する複数のセルの特性と、前記端末の状況および前記端末がダウンロードするデータの特性とに基づき、前記端末が要求する要求ダウンロード時間と、前記データの実際のダウンロードにかかる実行ダウンロード時間とを求め、前記要求ダウンロード時間と前記実行ダウンロード時間とに基づき、前記セルを選択することを特徴とする制御方法。
【発明の詳細な説明】
【技術分野】
【０００１】
本発明は、セルを選択しデータ通信を行う制御装置、制御システムおよび制御方法に関する。
【背景技術】
【０００２】
移動体無線通信において、近年では、複数の無線アクセスネットワーク（セル）を使い分けている。さらに、次世代の５Ｇの無線アクセス技術では、複数の無線アクセス技術（ＲＡＴ：Ｒａｄｉｏ  Ａｃｃｅｓｓ  Ｔｅｃｈｎｏｌｏｇｙ）が併存する。ＭＮＯ（Ｍｏｂｉｌｅ  Ｖｉｒｔｕａｌ  Ｎｅｔｗｏｒｋ  Ｏｐｅｒａｔｏｒ）／ＭＶＮＯ（Ｍｏｂｉｌｅ  Ｖｉｒｔｕａｌ  Ｎｅｔｗｏｒｋ  Ｏｐｅｒａｔｏｒ）の無線ネットワーク運用者は、利用者やアプリケーションに応じて、ＲＡＴを使い分けることになる。
【０００３】
大小様々なセルが混在する場合、セルの選択が新たな課題となり、選択の方法が提案されている。３ＧＰＰ  ＷＬＡＮ  ｉｎｔｅｒｗｏｒｋｉｎｇでは、ＬＴＥ（Ｌｏｎｇ  Ｔｅｒｍ  Ｅｖｏｌｕｔｉｏｎ）とＷＬＡＮ（Ｗｉｒｅｌｅｓｓ  ＬＡＮ）連携方式が議論されている。例えば、受信電界強度やスループットに基づきＬＴＥとＷＬＡＮを選択する技術が提案されている（例えば、下記特許文献１参照。）。また、ネットワーク負荷に基づきＬＴＥとＷＬＡＮを選択する技術が開示されている（例えば、下記特許文献２参照。）。また、ユーザデータ（Ｕ−ｐｌａｎｅ）は伝送速度を高くとることができる小セルを用い、制御信号（Ｃ−ｐｌａｎｅ）は広域をカバーできる大セルを用いるというＰｈａｎｔｏｍ構想が提案されている（例えば、下記非特許文献１参照。）。
【０００４】
一方で、データを処理するアプリケーションは、著しく多様化している。例えば、端末がアプリケーションで扱うデータの大きさは様々で、１０1〜１０10ビットの範囲で１０桁の開きが生じている。このようにサイズの異なるデータを、単一のネットワークで運用すると、大きなデータが支配的になり、ネットワークの性能が総じて悪化する。即時系システムにおいては、大きなデータが加わるほど全体的に呼損率が大きくなることが開示されている（例えば、下記非特許文献２参照。）。また、待時系システムにおいては、大きなデータが加わるほど全体的に待ち時間が増加することが知られている（詳細は後述する）。
【先行技術文献】
【特許文献】
【０００５】
【特許文献１】特開２０１３−２６９４７号公報
【特許文献２】特開２０１０−１７１５２０号公報
【非特許文献】
【０００６】
【非特許文献１】Ｈ．Ｉｓｈｉｉ，Ｙ．Ｋｉｓｈｉｙａｍａ  ａｎｄ  Ｈ．Ｔａｋａｈａｓｈｉ，“Ａ  Ｎｏｖｅｌ  Ａｒｃｈｉｔｅｃｔｕｒｅ  ｆｏｒ  ＬＴＥ−Ｂ”  ＧＣ’１２  Ｗｏｒｋｓｈｏｐ，ＩＥＥＥ，２０１２
【非特許文献２】Ｌ．Ｅ．Ｎ．ＤＥＬＢＲＯＵＣＫ，“Ｏｎ  ｔｈｅ  Ｓｔｅａｄｙ−Ｓｔａｔｅ  Ｄｉｓｔｒｉｂｕｔｉｏｎ  ｉｎ  ａ  Ｓｅｒｖｉｃｅ  Ｆａｃｉｌｉｔｙ  Ｃａｒｒｙｉｎｇ  Ｍｉｘｔｕｒｅｓ  ｏｆ  Ｔｒａｆｆｉｃ  ｗｉｔｈ  Ｄｉｆｆｅｒｅｎｔ  Ｐｅａｋｅｄｎｅｓｓ  Ｆａｃｔｏｒｓ  ａｎｄ  Ｃａｐａｃｉｔｙ  Ｒｅｑｕｉｒｅｍｅｎｔｓ”  ＩＥＥＥ  Ｔｒａｎｓ．ｏｎ  ＣＯＭＭＵＮＩＣＡＴＩＯＮ，ＶＯＬ．ＣＯＭ−３１，ＮＯ．１１，Ｎｏｖｅｍｂｅｒ  １９８３
【発明の概要】
【発明が解決しようとする課題】
【０００７】
上記のように、様々なセルの選択基準が検討されているが、アプリケーションや利用シーンに応じて要求条件を定義し、これを基準に適切なセルの選択することが求められている。また、サイズの異なるデータを、単一のネットワークで捌くと、その性能は大きなデータが支配的になり、総じて悪化する。例えば、待時系システムにおいては、大きなデータが加わるほど全体的に待ち時間が増加してしまう。これは、大きなデータが同じシステムに加わることにより、全体の遅延時間は著しく劣化するためである。これを回避するためにデータサイズ毎に使える帯域が分割されている複数の無線セルを用い、データサイズ毎にセルを使い分けることが求められている。
【０００８】
また、帯域分割に着目した場合、一つのＲＡＴ（スライス）で多元トラヒックを処理する場合、大トラヒックの性能基準で捌けるデータ数を規制しなければならない。異なるトラヒック毎に複数ＲＡＴ（スライス）を使い分けるほうが捌けるデータの総数は多くなる。このような多元トラヒック処理の特性は、同じようなサイズのデータ毎に帯域を分割し、各々の帯域で扱ったほうが、帯域を有効に活用できることを示唆している。逆に、多元処理すると大きなサイズのデータの特性を基準に、入力呼量を制限しなければならず、それにより全体の性能を下げざるをえないことになる。単一セル構成では、同時に捌かなければいけないデータの大きさが大きくなるにつれ、捌くデータ数が極端に減少してしまうことになる。上記から、複数のセルを併存させたマルチＲＡＴ構成を前提とした場合、セルをどのような基準で選択するかが重要な課題となる。
【０００９】
一つの側面では、本発明は、適切なセル選択によりサービス品質を向上できることを目的とする。
【課題を解決するための手段】
【００１０】
一つの案では、制御装置は、端末が位置する複数のセルの特性と、前記端末の状況および前記端末がダウンロードするデータの特性とに基づき、前記端末が要求する要求ダウンロード時間と、前記データの実際のダウンロードにかかる実行ダウンロード時間とを求め、前記要求ダウンロード時間と前記実行ダウンロード時間とに基づき、前記セルを選択する制御部を備えたことを要件とする。
【発明の効果】
【００１１】
一つの実施形態によれば、適切なセル選択によりサービス品質を向上できる。
【図面の簡単な説明】
【００１２】
【図１】図１は、実施の形態で用いるネットワークモデルを示す説明図である。
【図２】図２は、実施の形態にかかる制御装置を含むネットワークシステム例を示す図である。
【図３】図３は、実施の形態の制御装置の機能構成を示すブロック図である。
【図４】図４は、実施の形態の制御装置が扱う各種データの情報を示す一覧の図表である。
【図５】図５は、実施の形態の制御装置のハードウェア構成例を示す図である。
【図６】図６は、実施の形態の制御装置によるセル選択の処理例を示すフローチャートである。
【図７】図７は、セルサイズと伝送速度の関係を示す図表である。
【図８】図８は、実施の形態にかかるセル通過時の要求ダウンロード時間の算出例を説明する図である。
【図９】図９は、実施の形態にかかる要求ダウンロード時間の算出例を示す図表である。
【図１０】図１０は、実施の形態にかかる制御装置を含むネットワークシステムで送受信する情報の例を示すシーケンス図である。
【図１１】図１１は、大小データ混在時の多元トラヒック特性を説明する図表である。
【図１２】図１２は、帯域分割の効果を説明する図表である。
【図１３】図１３は、データサイズに基づくセル選択の効果を説明する図表である。
【図１４】図１４は、ダウンロード時間に基づくセル選択の効果を説明する図表である。
【発明を実施するための形態】
【００１３】
（実施の形態）
図１は、実施の形態で用いるネットワークモデルを示す説明図である。実施の形態では、ある地域Ａの全員の通信要求に応じられる大セルＬ（半径ｒｌ）と、その地域Ａの一部の利用者だけの通信要求に応じられる大セルＬよりも小さなセルＳ（半径ｒｓ）を複数並列に配置した無線ネットワーク構成を想定している。図１には、大小二つのセルを記載しているが、重畳させるセル数は二つに限定されない。これらのセルＬ，Ｓは、同じまたは異なる無線方式であり、セルＬ，Ｓは異なる周波数帯域Ｃｌ，Ｃｓを割り当て、独立した二つのアクセスネットワークを提供しているとみなす。
【００１４】
小セルＳのエリア内にいる利用者（ユーザ）ＵＥは、大セルＬと小セルＳの両方を利用できるので、この利用者が通信を要求する際に、実施の形態の制御装置は、セルＬ，Ｓのいずれか一つを選択することができる。なお、小セルＳのエリア外で大セルＬのエリア内にいる利用者は、小セルＳを利用できず大セルＬのみ利用可能である。そして、実施の形態では、新たな基準、例えば、アプリケーションや利用者の状況（コンテキスト）に基づき、セルＬ，Ｓを選択する。これにより、優れたアクセスビリティを実現する。
【００１５】
図２は、実施の形態にかかる制御装置を含むネットワークシステム例を示す図である。実施の形態では、複数のセルを使い分ける制御に関するものであり、論理的に実装するエンティティを限定するものではない。基本的には複数の無線セルを包括的に捉えることができるエンティティに実装することが、制御信号のやり取りを単純化できる点から望ましい。
【００１６】
ネットワークシステムは、利用者（ユーザ）ＵＥの端末２０１と、端末２０１に無線接続し、端末２０１との間の無線通信を行う基地局２０２を含む。基地局２０２は、図示のように、小セルＳ、中セルＭ、大セルＬ、のように各種大きさのセルを有してもよい。なお、図１で説明したように、少なくとも大セルＬのエリア内に小セルＳのエリアが含まれるセル配置とする。
【００１７】
そして、端末２０１は、無線アクセスにより基地局２０２のセル（Ｌ，Ｍ，Ｓ）から、コア網２０３を介し、インターネット２０４に接続され、インターネット２０４を経由してアプリケーションサーバ２０５に接続される。アプリケーションサーバ２０５は、利用者Ｕが要求したアプリケーションを有する。
【００１８】
コア網２０３とインターネット２０４の相互接続点には、実施の形態の制御装置２００が配置される。制御装置２００は、ゲートウェイ（３ＧＰＰのＰ−Ｇａｔｅｗａｙ相当）２１１を含み、ゲートウェイ２１１は、どのセル（Ｓ，Ｍ，Ｌの基地局２０２）を選択して端末２０１と接続するかを判断する。また、ゲートウェイ２１１はＮＷ制御部２１２を介してサービス制御部２１３が接続され、サービス制御部２１３は、主に制御信号（Ｃ−ｐｌａｎｅ）あるいは管理情報（Ｍ−ｐｌａｎｅ）に対するサービス制御を行う。ただし、図２では、Ｃ−ｐｌａｎｅとＭ−ｐｌａｎｅの情報は、主信号であるユーザデータ（Ｕ−ｐｌａｎｅ）と同じリンクで運ばれることを想定し、図中実線上を流れる形で図示してある。
【００１９】
利用者管理部２２１は、端末２０１を利用する利用者の利用者状況（コンテキスト）を取得し、制御装置２００（サービス制御部２１３）に出力する。アプリケーション管理部２２２は、利用者がアプリケーションサーバ２０５に取得要求した対象となるアプリケーションの特性等の情報を取得し、制御装置２００（サービス制御部２１３）に出力する。ＲＡＴ管理部２２３は、基地局２０２のセル特性（帯域Ｃ、セルサイズｒ）等を管理し、セル特性を制御装置２００（サービス制御部２１３）に出力する。ＲＡＴ管理部２２３は、基地局管理装置ＲＮＣ（Ｒｅｍｏｔｅ  Ｎｅｔｗｏｒｋｉｎｇ  Ｃｅｎｔｅｒ）に相当する。
【００２０】
利用者管理部２２１は端末２０１に実装し、アプリケーション管理部２２２はアプリケーションサーバ２０５に実装してもよい。この場合、端末２０１、アプリケーションサーバ２０５は、それぞれ制御信号あるいはユーザデータの経路上で情報を制御装置２００（サービス制御部２１３）に送信できる。
【００２１】
図３は、実施の形態の制御装置の機能構成を示すブロック図である。制御装置２００の主にサービス制御部２１３の機能を示す。制御装置２００は、ユーザ状況取得部３０１、アプリケーション特性取得部３０２、無線セル特性取得部３０３、セル適正判断・選択部３０４、を含む。
【００２２】
ユーザ状況取得部３０１は、端末２０１からの通信要求時に、利用者管理部２２１から端末２０１の場所（現在位置）、移動速度、その他コンテキスト等を取得する。アプリケーション特性取得部３０２は、アプリケーション管理部２２２から端末２０１が要求するデータ（アプリケーションやコンテンツ）のサイズＤ等を取得する。無線セル特性取得部３０３は、ＮＷ制御部２１２から各セルの無線セル特性として、各セルの帯域Ｃ、セルサイズｒを取得する。無線セル特性取得部３０３は、重畳されるＲＡＴの数に対応した数ｎを有する。
【００２３】
セル適正判断・選択部３０４は、要求ダウンロード時間算出部３１１、実行ダウンロード時間算出部３１２、比較部３１３、セル決定部３１４、条件不十分時処理部３１５、を含む。
【００２４】
要求ダウンロード時間算出部３１１は、ユーザ状況取得部３０１が取得した情報に基づき、端末２０１が取得要求したデータをセル内に位置している間でダウンロードするための要求ダウンロード時間Ｔｒを算出する。要求ダウンロード時間Ｔｒは、例えば、端末２０１を収容するセルの大きさと端末２０１の移動速度により、例えば、Ｔｒ＝端末２０１のセル通過時間（セル内に位置している時間）＝ｇ（ｒ）／ｖ＝４ｒ／πｖにより求める（ｒ：セル半径、ｖ：移動速度）。
【００２５】
実行ダウンロード時間算出部３１２は、アプリケーション特性取得部３０２と、無線セル特性取得部３０３が取得した情報に基づき、端末２０１が取得要求したデータの実際のダウンロードにかかる実行ダウンロード時間Ｔｄを算出する。実行ダウンロード時間Ｔｄは、例えば、データサイズＤと、割り当てることができるコネクションの伝送速度Ｕとに基づきＴｄ＝Ｄ／Ｕにより求める。また、Ｔｄ＝Ｄ／ｆ（Ｃ，呼量，（Ｂ））＝Ｄ／ｆ’（Ｃ，セルサイズ，（Ｂ））で求めることもできる。Ｃは所定の関数、Ｂは呼損率である。コネクションの伝送速度Ｕは、セルの帯域Ｃとセルサイズから見積られる呼量、例えば利用者数×呼率から算出することもできる。
【００２６】
比較部３１３は、要求ダウンロード時間Ｔｒと実行ダウンロード時間Ｔｄを比較する。セル決定部３１４は、実行ダウンロード時間Ｔｄが、要求ダウンロード時間Ｔｒよりも小さくなるようなセルを選択する。
【００２７】
条件不十分時処理部３１５は、比較部３１３の比較結果、実行ダウンロード時間Ｔｄが要求ダウンロード時間Ｔｒよりも小さくなるセルが見つからなかった場合に対処した処理を行う。例えば、できるだけ実行ダウンロード時間Ｔｄを短くできるセル、つまり最小セルを選択する。このほか、データを全て端末２０１にダウンロードし、端末２０１で再生するのではなく、端末２０１とアプリケーションサーバ２０５間に一定時間の帯域を提供し、ストリーミング形式でダウンロードのデータを連続的に端末２０１に送信することもできる。
【００２８】
上記のように、制御装置２００は、基本として無線セルの特性と、アプリケーションの特性を取得し、これらを基にセルを選択する。無線セルの特性、例えば、大きな伝送速度を提供できる小セルＳか、小さな伝送速度しか提供できない大セルＬかが分からないと、動的に、どのセルでその通信要求を捌くべきかを判断することができない。このため、複数存在する無線セル各々の特性を取得する。このセルサイズと伝送速度の関係の詳細は後述する。
【００２９】
また、アプリケーションの特性、例えば高速な伝送速度を必要とするデータダウンロード系か、低速で長時間にわたり帯域を必要とするストリーミング系かが分からないと、誤ったセル選択をしてしまう可能性がある。アプリケーションの特性の代表的な例が、データサイズである。
【００３０】
図４は、実施の形態の制御装置が扱う各種データの情報を示す一覧の図表である。データの塊のサイズ、データ送信元の機器、発生頻度、データのジャンルの一覧を示す。図４のように、数ビットのＩｏＴセンシングデータ、数ｋｂｉｔオーダのフレームを数十ミリ秒間隔で送る映像の１フレーム、数百Ｍｂｉｔオーダになるアプリケーションプログラム、Ｇｂｉｔよりも大きな映像コンテンツ等がある。このように、ネットワークで転送する対象となるデータの塊のサイズは多岐にわたる。
【００３１】
上述したように、これらサイズが異なるデータを単一の帯域で転送しようとすると、大きなデータの特性が支配的になり、全体的にサービス品質（ＱｏＳ：Ｑｕａｌｉｔｙ  ｏｆ  Ｓｅｒｖｉｃｅ）を悪化させてしまう。あるいは、ＱｏＳを一定のレベルに維持しようとすると、入力呼量を規制せざるをえなくなり、性能の低下を招く。このため、実施の形態では、利用者が求めている通信対象のデータサイズを認識して、セルを選択することで、良好なＱｏＳを保つようにする。
【００３２】
図３のセル適正判断・選択部３０４がセルを選択する際の基準の一つがデータのダウンロードにかかる時間（実行ダウンロード時間Ｔｄ）である。実行ダウンロード時間算出部３１２は、実行ダウンロード時間Ｔｄを、データサイズＤと、割り当てることができるコネクションの伝送速度Ｕに基づき算出する。また、コネクションの伝送速度は、セルの帯域とセルサイズから見積られる呼量、例えば利用者数×呼率から算出できる。
【００３３】
一方、要求ダウンロード時間算出部３１１が算出する利用者が要求するダウンロード時間（要求ダウンロード時間Ｔｒ）もセルを選択する際の重要な基準となる。例えば、利用者がダウンロードを急いで行いたい際に、実行ダウンロード時間Ｔｄがかかりすぎるセルを選択することは利用者の体感品質を損なうことになる。反対に、利用者がくつろいでいるときには、一瞬でダウンロードが完了するセルを選択する必要はない。その他の例は、利用者のコンテキストに基づき決定すればよく、詳細は後述する。
【００３４】
従って、比較部３１３では、実行ダウンロード時間Ｔｄが、要求ダウンロード時間Ｔｒよりも小さくなるようなセルを選択することが、セル選択の基本となる。例えば、比較部３１３は、セル毎に実行ダウンロード時間Ｔｄと要求ダウンロード時間Ｔｒとの比較をするにあたり、大きなセルＬ、つまり伝送速度が小さいセルから順に比較し、最初に比較条件を満たすセルを選択する。これにより、要求ダウンロード時間Ｔｒを満たし、かつ、多くの利用者の通信要求を捌けるセルを選択できることになる。
【００３５】
また、要求ダウンロード時間Ｔｒは、上述したように、利用者の状況に依るところが大きいので、ユーザ状況（ユーザコンテキスト）の取得が有用になる。例えば、駅に小セルの基地局がある場合、その駅における電車の停車時間が車内にいる利用者にとっての要求ダウンロード時間となる。さらに、例えば、走行している車両に乗車している利用者や歩行者のセル通過時間を要求ダウンロード時間Ｔｒとして設定してもよい。セル通過時間は、セルの大きさｒと移動速度ｖから推定できる。セル通過時間を要件とすることで、セル通過中にデータのダウンロードを完了させることができるようになり、ハンドオーバを不要にすることができるようになる。従って、ハンドオーバにかかる制御負荷、例えば、データの経路変更を抑える制御を不要にできる。また、ハンドオーバによる性能低下、例えばＴＣＰのウィンドサイズの縮小を避けることが可能になる。
【００３６】
実行ダウンロード時間Ｔｄが要求ダウンロード時間Ｔｒよりも小さくなるセルが見つからなかった場合、条件不十分時処理部３１５が行う対策は、大きく二つの方式が考えられる。一つ目はできるだけ実行ダウンロード時間Ｔｄを短くできるセル、つまり最小セルを選択する方式である。二つ目は、そのデータをダウンロードし、端末で再生するのではなく、端末とそのアプリケーションサーバ２０５間に一定時間帯域を提供し、ストリーミング形式でそのデータを連続的に送信する方式である。
【００３７】
図５は、実施の形態の制御装置のハードウェア構成例を示す図である。制御装置２００は、制御部（ＣＰＵ）５０１、ＲＯＭ，ＲＡＭ等のメモリ５０２、ＨＤＤ，フラッシュメモリ等の記憶部５０３、ネットワークインタフェース（ＩＦ）３０４、を含む。
【００３８】
図３に記載の各機能は、図５のＣＰＵ５０１がメモリ５０２に格納された制御プログラムを実行し、この際、メモリ５０２の一部を作業領域に使用することで実現できる。また、ＣＰＵ５０１は、記憶部５０３をメモリ５０２の拡張領域やバックアップ領域として使用する。ネットワークインタフェース（ＩＦ）５０４は、コア網２０３を介して基地局２０２と通信接続し、インターネット２０４を介してアプリケーションサーバ２０５と通信接続する機能を実現する。
【００３９】
図６は、実施の形態の制御装置によるセル選択の処理例を示すフローチャートである。図３に示した制御装置２００の各機能（図５のＣＰＵ５０１）が実行する処理例を示す。
【００４０】
はじめに、制御装置２００は、ユーザ状況の情報に基づき、要求ダウンロード時間Ｔｒを算出する（ステップＳ６０１）。例えば、Ｔｒは上述したように、端末２０１のセル通過時間４ｒ／πｖにより求めることができる。
【００４１】
次に、制御装置２００は、処理対象となるセル＃ｉの初期値としてｉをＫとする（ステップＳ６０２）。Ｋは処理対象のセル数であり、ｒ（セルの半径）が小さい順に１〜Ｋとしてソートされている。そして、制御装置２００は、対象となるセル＃ｉの伝送速度Ｕｉを取得する（ステップＳ６０３）。
【００４２】
次に、制御装置２００は、実行ダウンロード時間Ｔｄを算出する（ステップＳ６０４）。例えば、Ｔｄは上述したように、Ｄ／Ｕｉ（Ｄ：データサイズ、Ｕｉ：伝送速度）により求めることができる。
【００４３】
次に、制御装置２００は、要求ダウンロード時間Ｔｒと、実行ダウンロード時間Ｔｄとを比較する（ステップＳ６０５）。この処理では、セル半径が大きい順（伝送速度が小さい順）にダウンロードが要求ダウンロード時間Ｔｒ内（セル通過中）に完了するかを確認する。実行ダウンロード時間Ｔｄ≦要求ダウンロード時間Ｔｒであれば（ステップＳ６０５：Ｙｅｓ）、制御装置２００は、処理中のセル＃ｉを選択し（ステップＳ６０６）、以上の処理を終了する。
【００４４】
一方、実行ダウンロード時間Ｔｄ＞要求ダウンロード時間Ｔｒであれば（ステップＳ６０５：Ｎｏ）、制御装置２００は、処理中のセルが０（最後）であるか判断する（ステップＳ６０７）。処理中のセルが０でなければ（ステップＳ６０７：Ｎｏ）、制御装置２００は、ｉをデクリメントし（ステップＳ６０８）、ステップＳ６０４に戻り次のもう一つ小さいセルの処理を行う。
【００４５】
また、処理中のセルが０であれば（ステップＳ６０７：Ｙｅｓ）、満足できるセルが見つからない場合に相当し、この場合、制御装置２００は、端末２０１に送信するデータがダウンロードではない、ストリーミングを許すかを判断する（ステップＳ６０９）。
【００４６】
データのストリーミングを許さずダウンロードの場合（ステップＳ６０９：Ｎｏ）、制御装置２００は、実行ダウンロード時間を短くできる最小のセルを選択するか、あるいはこのダウンロード要求を拒否し（ステップＳ６１０）、以上の処理を終了する。一方、データのストリーミングを許す場合（ステップＳ６０９：Ｙｅｓ）、制御装置２００は、ストリーミング用セルを選択し（ステップＳ６１１）、以上の処理を終了する。この場合、ストリーミング用の小さな帯域の大きなセルを選択することになる。
【００４７】
（セルサイズと伝送速度について）
ここで、セルサイズと伝送速度の関係について説明しておく。実施の形態では、セルサイズによって端末２０１からの一つの通信要求（コネクション）に割り当てられる伝送速度が変わる点を考慮している。つまり、セルサイズｒが大きくなると、利用者数Ｎが多くなり、想定すべき入力呼量ａも大きくなる。従って、コネクションレベルの性能指標である呼損率を満足する仮想的なコネクション数Ｍも大きくする必要がある。すると、それらのコネクション数Ｍで割り当てられた帯域Ｃをシェアしなければならなくなり、一コネクションに割り当てられる帯域で決まる伝送速度Ｕは小さくなる。上記の点を定式化すると以下のようになる。
【００４８】
ステップ１：セルサイズから利用者数Ｎを仮定。さらに、利用者あたりの呼率αを仮定し（以下の例では０．１（１０％））、入力呼量（発生トラヒック）ａ（アーラン）を求める。ａ＝Ｎα
【００４９】
ステップ２：入力呼量ａに対し、呼損率Ｂがある基準、例えば０．００１を満たすための所要コネクション数Ｍは、例えば、アーランＢ式から求める。このアーランＢ式は、即時式の回線交換システムの基本的な設計指針を示している。文献としては、例えば、「Ｌｅｏｎａｒｄ  Ｋｌｅｉｎｒｏｃｋ，“Ｑｕｅｕｅｉｎｇ  Ｓｙｓｔｅｍｓ”，Ｗｉｌｅｙ  Ｉｎｔｅｒｓｃｉｅｎｃｅ，ＮｅｗＹｏｒｋ，１９７５」に開示されている。
【００５０】
ステップ３：コネクションあたりの帯域（伝送速度）ＵをＵ＝Ｃ／Ｍで求める。図７は、セルサイズと伝送速度の関係を示す図表である。横軸は、セルサイズから決まる（人口密度一定、つまり、比例する）利用者数Ｎ（１０１〜１０８）を対数表示したものである。縦軸は、所要コネクション数Ｍとコネクションあたりの伝送速度Ｕの対数表示である。呼損率０．００１を満たすＭはセルサイズとともに大きくなり、反対にＵは小さくなることが分かる。ここで、Ｎがある程度大きい領域（１０３以上、利用者数が３桁以上）では、大群化効果が飽和しているため、Ｍはセルサイズにほぼ比例し（線形となり）、Ｕはセルサイズに反比例することが分かる。このように、セルサイズが大きいほど、すなわち、ユーザ数が大きくなるほど一人あたりの伝送速度が減ることを示している。
【００５１】
（ユーザの状況に対応する要求ダウンロード時間について）
図８は、実施の形態にかかるセル通過時の要求ダウンロード時間の算出例を説明する図である。以下では、半径１０ｍの小さなセル（スモールセル）Ｓを仮定し、ユーザ状況と要求時間の関係を説明する。半径ｒの円周上の任意の２点を結ぶ線分の長さは平均４ｒ／πとなるから、半径１０ｍのセル端にいる利用者がそのセルを横切る距離は平均１２．７ｍとなる。従って、速度４ｋｍ／ｈの歩行者は平均１１．５秒の間、速度４０ｋｍ／ｈの自動車は平均１．１５秒の間、そのセルに滞在しデータをダウンロードできる。言い換えると、セルＳを抜け出す前にダウンロードを完了しようとすると、要求ダウンロード時間Ｔｒは、ユーザの状況（速度）に応じて歩行中ならば１１．５秒、車で移動中ならば１．１５秒となる。
【００５２】
図９は、実施の形態にかかる要求ダウンロード時間の算出例を示す図表である。ここでは、ユーザの状況（ユーザコンテキスト）として、端末２０１が位置しているあるセル内の滞在時間を示している。例えば、駅に半径１０ｍ程度のセルの基地局があり、電車の停車時間が２０〜３０秒ならば、車内の利用者（端末２０１）がそのセルを利用できる時間は停車時間となるので、要求ダウンロード時間Ｔｒも２０〜３０秒となる。制御装置２００は、ユーザがデータのダウンロード要求時の状況に対応した要求ダウンロード時間Ｔｒをメモリ等から読み出して設定する。
【００５３】
図１０は、実施の形態にかかる制御装置を含むネットワークシステムで送受信する情報の例を示すシーケンス図である。図２に示したネットワークシステムにおいて制御装置２００のサービス制御部２１３が実行する処理例を説明する。
【００５４】
制御装置２００（サービス制御部２１３）は、サービス制御時、端末２０１からのデータのダウンロードの通信要求（ステップＳ１００１）を、ゲートウェイ２１１を介してアプリケーションサーバ２０５に出力する。ゲートウェイ２１１は、サービス制御部２１３に通信要求を出力する。アプリケーションサーバ２０５は、アプリケーション管理部２２２からアプリケーション特性（データサイズＤ等）を取得し、制御装置２００に送信する（ステップＳ１００１）。
【００５５】
無線セルの特性である割り当てられた帯域Ｃやサイズｒは、静的であるため、予め制御装置２００に設定しておく。これに限らず、利用者があるアプリケーションの要求を送出した時点で、オンデマンドで制御装置２００が各々のＲＡＴ管理部２２３へ問い合わせて得た値を設定してもよい（ステップＳ１０００）。
【００５６】
アプリケーションの特性（データサイズＤ）は、利用者がアプリケーションを指定した際の端末２０１の通信要求（ステップＳ１００１）に基づき取得する。この起動元として、図１０ではアプリケーションサーバ２０５側（アプリケーション管理部２２２）としたが、上記同様にサービス制御部２１３からアプリケーション管理部２２２にオンデマンドで問い合わせてもよい。
【００５７】
次に、ダウンロード時間の要求条件を定めるには、利用者の状況（ユーザコンテキスト）を把握する必要がある。端末２０１がセルを通過中にデータのダウンロードを完了することを基準とするならば、既に得られているセルサイズｒだけでなく、その利用者（端末２０１）の移動速度ｖを考慮する必要がある。これらの利用者状況は、利用者管理部２２１から取得する（ステップＳ１００２）。サービス制御部２１３へのこの利用者状況の通知も、上記と同様に、利用者管理部２２１がサービス制御部２１３へプッシュする方式（図１０の例）、あるいはサービス制御部２１３が利用者管理部２２１へプルする方式としてもよい。
【００５８】
この後、制御装置２００（サービス制御部２１３）は、取得したセル特性（セルの帯域Ｃ、セルサイズｒ）、アプリケーション特性（データサイズＤ）、利用者状況（場所、移動速度ｖ）等の情報に基づき、情報処理の要件を定義する（ステップＳ１００３）。この処理では、図６に示した処理に基づき、要求ダウンロード時間Ｔｒと、実行ダウンロード時間Ｔｄをそれぞれ算出する。
【００５９】
この後、制御装置２００（サービス制御部２１３）は、図６に示した要求ダウンロード時間Ｔｒと、実行ダウンロード時間Ｔｄとに基づき、適切なセルを選択する（ステップＳ１００４）。選択したセルは、基地局２０２を介して端末２０１に通知され、また、アプリケーションサーバ２０５に通知される（ステップＳ１００５）。この後、選択したセルを用いてアプリケーションサーバ２０５は、端末２０１に対する通信（データのダウンロード等）を実行する（ステップＳ１００６）。
【００６０】
（既存技術による多元トラヒック特性の説明）
ここで、既存技術による多元トラヒック特性と、捌けるデータ数についての課題を説明しておく。上述したように、サイズの異なるデータを、単一のネットワークで捌くと、その性能は大きなデータが支配的になり、総じて悪化する。例えば、待時系システムにおいては、大きなデータが加わるほど全体的に待ち時間が増加することが知られている。これを回避するためにデータサイズ毎に使える帯域が分割されている複数の無線セルを用い、データサイズ毎に使い分けたとする。
【００６１】
図１１は、大小データ混在時の多元トラヒック特性を説明する図表である。横軸はトラヒック（ネットワークの使用率ａ）、縦軸は平均待ち時間Ｗである。ａはデータサイズｈ１，ｈ２が同じ場合の特性、ｂは大小データが混在し、データサイズｈ２がｈ１の１０倍の場合の特性である。
【００６２】
大小サイズのデータを一つのシステムで扱う際に、遅延（平均待ち時間Ｗ）が全体的に劣化する典型的な特性を示している。これは、ａに比してｂのような大きなデータが同じシステムに加わることにより、ｂの遅延時間は著しく劣化することが示されている。大小のトラヒック（例えば、データサイズ）を一つのネットワークシステムで多元処理する場合、大トラヒックが性能の支配項となり、即時系システムでは呼損率が増加し、待機系システムでは遅延の増加が顕著になる。
【００６３】
上記多元トラヒック処理の特性は、同じようなサイズのデータ毎に帯域を分割し、各々の帯域で扱ったほうが、帯域を有効に活用できることを示唆している。つまり、多元処理すると大きなサイズのデータの特性を基準に、入力呼量を制限しなければならず、それにより全体の性能を下げることになるので、帯域分割により避ける必要がある。
【００６４】
図１２は、帯域分割の効果を説明する図表である。マルチＲＡＴ（各々一元処理）の特性ｄと、単一セル（二元処理）の特性ｃのスループットの比較例を示す。帯域Ｃは１００Ｍｂｐｓ、平均待ち時間Ｗは１０秒とした。横軸は小サイズ（１０ｋｂｉｔ）のデータと混在して捌くデータのサイズ（１００ｋｂｉｔ〜１Ｇｂｉｔ）である。また、多元処理する単一セルｃの場合は帯域２００Ｍｂｐｓをそのシステムに割り当て、１００Ｍｂｐｓを二つの大小セル（マルチＲＡＴ）それぞれに割り当てている。そして、小セルで大きなデータを、大セルで１０ｋｂｉｔのデータを扱う場合の、捌ける大小データの数を縦軸に示している。
【００６５】
単一セルの特性ｃでは、同時に捌かなければいけないデータの大きさが大きくなるにつれ、捌くデータ数が極端に減少してしまうことになる。これにより、実施の形態では、複数のセルを併存させたマルチＲＡＴ構成（図中ｄ）を前提とし、複数セルを所定の基準で使い分けることとしている。
【００６６】
ここで、実施の形態では、図１を用いて説明したように、ある地域の全員の通信要求に応じられる大セルＬと、その地域の一部の利用者だけの通信要求に応じられる大セルＬよりも小さな小セルＳを複数並列の配置した無線ネットワーク構成を用いる。各セルＬ，Ｓは、異なる周波数帯域を割り当て独立した二つのネットワークリソースとして利用する。そして、小セルＳエリア内にいる利用者は、大セルＬと小セルＳの両方を利用できることとなり、利用者が通信を要求する際に、制御装置２００は、適したどちらか１つのセルを選択する。このとき、上述したように、アプリケーションや利用者の状況等に基づきセルを選択することで、優れたアクセスビリティを実現できる。
【００６７】
（データサイズとダウンロード時間に基づくセル選択の効果について）
また、実施の形態では、ダウンロードするデータサイズと、ダウンロード時間に基づき適切なセルを選択している。これらデータサイズとダウンロード時間のパラメータをセル選択の判断に用いる効果について説明しておく。
【００６８】
データサイズに注目せずにセルを選択すると、利用効率や性能が低下する。
１．大サイズのデータを大セルで運ぼうとすると、一利用者に割り当てることができる転送レートが小さいので多くのデータを運ぶことはできない。
２．小サイズのデータを小セルで運ぼうとすると、一利用者に割り当てることができる転送レートが大きいのでデータを一瞬で運ぶことができ、少ない利用者に対して過剰設備となってしまう。
【００６９】
図１３は、データサイズに基づくセル選択の効果を説明する図表である。横軸はセルサイズ（カバーエリア内の利用者数Ｎ＝１０1〜１０8）、縦軸はセル移動中にダウンロードできるデータ数である。
【００７０】
１．大きなデータ（１Ｍｂｉｔ）Ｄ１を大セル（Ｎ＝１０7）でダウンロードすると、数個のデータのダウンロードしかできない。
２．小さなデータ（１０ｋｂｉｔ）Ｄ２を小セル（Ｎ＝１０3）でダウンロードすると、１０，０００個のデータが移動中にダウンロードできることになるが、端末２０１がそこまで大量のデータを要求することはなく、無線リソースが過剰となる。
【００７１】
３．ここで、大きなデータ（１Ｍｂｉｔ）Ｄ１を小セル（Ｎ＝１０3）でダウンロードし、小さなデータ（１０ｋｂｉｔ）Ｄ２を大セル（Ｎ＝１０7）でダウンロードすることとすれば、それぞれ１００のデータをダウンロードできる。これにより、システムの利用効率と性能をいずれも向上できるようになる。
【００７２】
また、ダウンロード時間に注目したセルを選択しない場合にも利用効率や性能が低下する。
１．ユーザが要求する要求ダウンロード時間Ｔｒが短い要求を大セルで捌こうとすると、一利用者に割り当てることができる転送レートが小さいので要求を満たせない。
２．要求ダウンロード時間Ｔｒが緩い要求を小セルで捌こうとすると、一利用者に割り当てることができる転送レートが大きいのでデータを一瞬で運ぶことができ、少ない利用者に対して過剰設備となってしまう。
【００７３】
図１４は、ダウンロード時間に基づくセル選択の効果を説明する図表である。横軸はセルサイズ（カバーエリア内の利用者数Ｎ＝１０1〜１０8）、縦軸はダウンロードに要する時間である。
【００７４】
１．１ＭｂｉｔのデータＤ１を要求ダウンロード時間Ｔｒが１０ｓ以下でダウンロードしなければならないならば、小セルＳ（Ｎ＝１０3以下）で扱わなければならない（図中ｄ１）。ただし、極端に小さいセルＳで、例えばＮ＝１０1ならば０．１ｓでダウンロードできるが、１０人の利用者しかこのセルを使えないことになる。
２．同じ１ＭｂｉｔのデータＤ１のダウンロードであっても、要求ダウンロード時間Ｔｒが１００ｓ以下と要求が緩くなると、大セル（Ｎ＝１０5以上）を選択してもよいことになり、ダウンロードできる利用者数は多くなる（図中ｄ２）。
つまり、要求ダウンロード時間Ｔｒの要件を満たす中で最も大きなセルを選択することにより要求ダウンロード時間Ｔｒを満足でき、かつ、多くの要求を捌けることになる。
【００７５】
実施の形態では、図１３および図１４を用いて説明したダウンロードするデータサイズと、ダウンロード時間に基づき適切なセルを選択する処理を行うため（図６参照）、システムの利用効率を効率化でき、かつシステムの性能を最大限に利用できるようになる。例えば、要求ダウンロード時間Ｔｒにできるだけ近い実行ダウンロード時間Ｔｄのセルを選択することにより、利用効率と性能を向上できる。
【００７６】
以上説明した実施の形態によれば、制御装置は、端末が所定地域の利用者全員の通信要求に応じられる帯域の大セルと、大セル内の一部の利用者の通信要求に応じる帯域の複数の小セル（Ｓ）に位置しているとき、適切なセルを選択する。この際、端末の状況および端末がダウンロードするデータの特性に基づき、端末が要求する要求ダウンロード時間と、データの実際のダウンロードにかかる実行ダウンロード時間とを求める。そして、要求ダウンロード時間と実行ダウンロード時間とに基づき、要求ダウンロード時間を満たす適切なセルを選択する。
【００７７】
これにより、端末がダウンロードするアプリケーションのデータサイズや端末の利用シーンに応じた要求条件を基準に適切なセルを選択できるようになる。また、データサイズ毎に使える帯域が分割されている複数のセルを用い、データサイズ毎に適切なセルを選択してダウンロードできるようになる。さらに、複数のセルを併存させたマルチＲＡＴ構成を前提とした場合においても、上記各種状況の変動に対応して、常にデータのダウンロードの条件に適したセルを選択できるようになる。
【００７８】
なお、本実施の形態で説明した制御方法は、予め用意された制御プログラムを対象機器（上記制御装置）等のコンピュータ（ＣＰＵ等）が実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【００７９】
上述した実施の形態に関し、さらに以下の付記を開示する。
【００８０】
（付記１）端末が位置する複数のセルの特性と、前記端末の状況および前記端末がダウンロードするデータの特性とに基づき、前記端末が要求する要求ダウンロード時間と、前記データの実際のダウンロードにかかる実行ダウンロード時間とを求め、前記要求ダウンロード時間と前記実行ダウンロード時間とに基づき、前記セルを選択する制御部を備えたことを特徴とする制御装置。
【００８１】
（付記２）前記セルは、
所定地域の利用者全員の通信要求に応じられる帯域の大セルと、当該大セル内の一部の利用者の通信要求に応じる帯域の複数の小セルとを含み、
前記制御部は、
前記大セルと、複数の前記小セルのうち前記実行ダウンロード時間が前記要求ダウンロード時間以内のセルを選択することを特徴とする付記１に記載の制御装置。
【００８２】
（付記３）前記制御部は、
前記セルの特性を、前記セルのサイズと当該セルに割り当てられた帯域とに基づき求めることを特徴とする付記１または２に記載の制御装置。
【００８３】
（付記４）前記制御部は、
前記データの特性は、前記データのサイズに基づき求めることを特徴とする付記１〜３のいずれか一つに記載の制御装置。
【００８４】
（付記５）前記制御部は、
前記実行ダウンロード時間を、前記データのサイズを、前記セルに割り当てられた帯域と前記セルのサイズから決まる呼量の関数で表されるコネクションあたりの伝送速度に基づき求めることを特徴とする付記１〜４のいずれか一つに記載の制御装置。
【００８５】
（付記６）前記制御部は、
大きいセルから小さいセルの順に、前記実行ダウンロード時間と前記要求ダウンロード時間を比較し、前記要求ダウンロード時間が前記実行ダウンロード時間よりも小さくなる最初のセルを選択することを特徴とする付記１〜５のいずれか一つに記載の制御装置。
【００８６】
（付記７）前記制御部は、
前記要求ダウンロード時間を、前記端末の利用者のコンテキストに基づき求めることを特徴とする付記１〜６のいずれか一つに記載の制御装置。
【００８７】
（付記８）前記制御部は、
前記要求ダウンロード時間を、前記端末によるデータのダウンロード要求時に、前記端末が位置している所定のセル内でのユーザの状況に対応した滞在時間に基づき設定することを特徴とする付記１〜７のいずれか一つに記載の制御装置。
【００８８】
（付記９）前記制御部は、
前記要求ダウンロード時間を、前記端末の移動速度と前記端末が位置するセルの大きさと、前記端末が前記セル内に位置している間の通過時間に基づき求めることを特徴とする付記１〜８のいずれか一つに記載の制御装置。
【００８９】
（付記１０）前記制御部は、
前記実行ダウンロード時間が前記要求ダウンロード時間よりも小さくなるセルが無い場合には、前記ダウンロード時間を短くできる前記セルを選択することを特徴とする付記６〜９のいずれか一つに記載の制御装置。
【００９０】
（付記１１）前記制御部は、
前記実行ダウンロード時間が前記要求ダウンロード時間よりも小さくなるセルが無い場合には、前記データをダウンロードからストリーミングに変更して送信できる前記セルを選択することを特徴とする付記６〜９のいずれか一つに記載の制御装置。
【００９１】
（付記１２）前記制御部は、
前記要求ダウンロード時間に近い前記実行ダウンロード時間となる前記セルを選択することを特徴とする付記１〜１１のいずれか一つに記載の制御装置。
【００９２】
（付記１３）複数の基地局と、複数の前記基地局のセル内に位置する端末と、前記端末がアプリケーションサーバからデータのダウンロード時に、前記データおよび前記セルの選択を制御する制御装置と、を含む制御システムであって、
前記制御装置は、前記端末が位置する複数のセルの特性と、前記端末の状況および前記端末がダウンロードするデータの特性とに基づき、前記端末が要求する要求ダウンロード時間と、前記データの実際のダウンロードにかかる実行ダウンロード時間とを求め、前記要求ダウンロード時間と前記実行ダウンロード時間とに基づき、前記セルを選択する制御部を備えたことを特徴とする制御システム。
【００９３】
（付記１４）前記セルは、
所定地域の利用者全員の通信要求に応じられる帯域の大セルと、当該大セル内の一部の利用者の通信要求に応じる帯域の複数の小セルとを含み、
前記制御装置の前記制御部は、
前記大セルと、複数の前記小セルのうち前記要求ダウンロード時間を満たすセルを選択することを特徴とする付記１３に記載の制御システム。
【００９４】
（付記１５）端末が位置する複数のセルの特性と、前記端末の状況および前記端末がダウンロードするデータの特性とに基づき、前記端末が要求する要求ダウンロード時間と、前記データの実際のダウンロードにかかる実行ダウンロード時間とを求め、前記要求ダウンロード時間と前記実行ダウンロード時間とに基づき、前記セルを選択することを特徴とする制御方法。
【符号の説明】
【００９５】
２００  制御装置
２０１  端末
２０２  基地局
２０３  コア網
２０４  インターネット
２０５  アプリケーションサーバ
２１１  ゲートウェイ
２１２  ネットワーク（ＮＷ）制御部
２１３  サービス制御部
２２１  利用者管理部
２２２  アプリケーション管理部
２２３  ＲＡＴ管理部
３０１  ユーザ状況取得部
３０２  アプリケーション特性取得部
３０３  無線セル特性取得部
３０４  セル適正判断・選択部
３１１  要求ダウンロード時間算出部
３１２  実行ダウンロード時間算出部
３１３  比較部
３１４  セル決定部
３１５  条件不十分時処理部
５０１  ＣＰＵ
５０２  メモリ
５０３  記憶部
５０４  ネットワークインタフェース
【図１】
2018125805.tif 000003
【図２】
2018125805.tif 000004
【図３】
2018125805.tif 000005
【図４】
2018125805.tif 000006
【図５】
2018125805.tif 000007
【図６】
2018125805.tif 000008
【図７】
2018125805.tif 000009
【図８】
2018125805.tif 000010
【図９】
2018125805.tif 000011
【図１０】
2018125805.tif 000012
【図１１】
2018125805.tif 000013
【図１２】
2018125805.tif 000014
【図１３】
2018125805.tif 000015
【図１４】
2018125805.tif 000016